(57)【要約】【課題】インクジェット記録装置において、インク物性を規定して高速かつ高画質の記録を可能にするとともに、異なる種類のインクによる記録順序が制限されないようにする。【解決手段】Ｂｋインク記録ヘッドのノズル配設面Ｈ１１００には、第１および第２ノズル列Ｈ２０００、第３および第４ノズル列Ｈ２１００、第５および第６ノズル列Ｈ２２００、第７および第８ノズル列Ｈ２３００が記録媒体の搬送方向に並ぶよう設ける。このように、各インク色について８列のノズル列を用いることにより、同じ数のドットを記録するのに、１ノズル列当りの吐出量、従って、着弾インク量を少なくすることができる。これにより、インクが浸透するための記録媒体の厚み方向や面方向の領域を分散して確保することができる。この結果、各ノズル列から吐出されるインクは速やかに浸透することが可能となる。【選択図】図２
2011240659.tif 000002
【特許請求の範囲】
【請求項１】
複数の種類のインクを吐出する記録ヘッドを用い、該記録ヘッドから記録媒体にインクを吐出して記録を行うインクジェット記録装置であって、
前記複数の種類のインクそれぞれについて、６列以上のノズル列を用い、
記録ヘッドを記録媒体に対して相対的に１回の走査を行うことにより、記録を行い、
前記複数の種類のインクのうちの任意の２種類のインクの間で、Δγ＝（Ｌ値が低い方のインクの表面張力γ）−（Ｌ値が高い方のインクの表面張力γ）としたときに０．１≦Δγ≦７．０  の範囲を満たす、
ことを特徴とするインクジェット記録装置。
【請求項２】
複数の種類のインクを吐出する記録ヘッドを用い、インクタンクから供給されるインクを前記記録ヘッドから記録媒体に吐出して記録を行うインクジェット記録装置であって、
前記複数の種類のインクそれぞれを収納した前記インクタンクを着脱自在に装着し、
前記複数の種類のインクそれぞれについて、６列以上のノズル列を用い、
記録ヘッドを記録媒体に対して相対的に１回の走査を行うことにより、記録を行い、
前記複数の種類のインクのうちの任意の２種類のインクの間で、Δγ＝（Ｌ値が低い方のインクの表面張力γ）−（Ｌ値が高い方のインクの表面張力γ）としたときに０．１≦Δγ≦７．０  の範囲を満たす、
ことを特徴とするインクジェット記録装置。
【請求項３】
前記複数の種類のインクのうちの任意の２種類のインクの間で、１．４≦Δγ≦７．０の範囲を満たすことを特徴とする請求項１または２に記載のインクジェット記録装置。
【請求項４】
複数の種類のインクを吐出する記録ヘッドを用い、該記録ヘッドから記録媒体にインクを吐出して記録を行うためのインクジェット記録方法であって、
前記複数の種類のインクそれぞれについて、６列以上のノズル列を用い、
記録ヘッドを記録媒体に対して相対的に１回の走査を行うことにより、記録を行い、
前記複数の種類のインクのうちの任意の２種類のインクの間で、Δγ＝（Ｌ値が低い方のインクの表面張力γ）−（Ｌ値が高い方のインクの表面張力γ）としたときに０．１≦Δγ≦７．０  の範囲を満たす、
ことを特徴とするインクジェット記録方法。
【発明の詳細な説明】
【技術分野】
【０００１】
本発明は、インクジェット記録装置およびインクジェット記録方法に関し、詳しくは、記録ヘッドの１回の走査によって高速記録を行う場合の画質の低下を抑制するための構成に関する。
【背景技術】
【０００２】
従来、記録ヘッドの１回の走査でその走査領域の記録を完成することにより記録速度の向上を図ることが行われている（特許文献１）。しかし、このように１回の走査で記録を完成する場合は、一般的に、異なる色のインクが隣接する画素において短い時間間隔で吐出されることにより、隣接画素間でインクが滲むブリーディングを生じ易くなる。
【０００３】
これに対し、特許文献２には、記録速度と画質品位の両立を図るべく、用いるインクの物性を規定することが記載されている。詳しくは、先に吐出されて着弾するインクと、後に吐出されて着弾するインクとの間の表面張力を規定している。これにより、隣接する画素間に異なる色のインクが先後して吐出されるときに生じ得るブリーディングを低減して、高画質の画像を記録するとともに高速記録を可能としている。
【先行技術文献】
【特許文献】
【０００４】
【特許文献１】特開２０００−００６３８９号公報
【特許文献２】特許第４３２８６７０号公報
【発明の概要】
【発明が解決しようとする課題】
【０００５】
しかしながら、特許文献２に記載の技術では、先に着弾するインクと後から着弾するインクとの間における表面張力を規定しているため、インクの吐出順序がインクの物性により制限されることになる。この結果、用いるインクと、インクの吐出順序、つまり各色インクのノズル列ないし記録ヘッドの配列順序と関係で、装置設計の自由度が損なわれる。インク物性は、記録の信頼性に加え発色性や堅牢性を考慮して設計されるためその組み合わせは多岐にわたり、各色インクの吐出順序についても画像形成やプリンタ本体の構成において多様な組み合わせが必要となる。このため、これらに制限を設けることは記録装置を設計する上での自由度を損なうことになる。
【０００６】
本発明の目的は、インク物性を規定して高速かつ高画質の記録を可能にするとともに、上述した装置設計上の自由度を損なうことのないインクジェット記録装置およびインクジェット記録方法を提供することにある。
【課題を解決するための手段】
【０００７】
本発明者らは、インク物性およびノズル列の数、そして記録ヘッドの走査回数に関して様々な検討を行った。その結果、１つの色のインクについてノズル列を６列以上とし、１回の走査で画像を記録する構成において、各色インク間の表面張力の関係を一定の範囲に調整したインクを用いることにより、各色インクの吐出順序に関わらずブリーディングが低減された画像を記録できることを明らかにした。
【０００８】
すなわち、本願発明は、複数種類のインクを吐出する記録ヘッドを用い、該記録ヘッドから記録媒体にインクを吐出して記録を行うインクジェット記録装置であって、前記複数の種類のインクそれぞれについて、６列以上のノズル列を用い、記録ヘッドを記録媒体に対して相対的に１回の走査を行うことにより、記録を行い、前記複数の種類のインクのうちの任意の２種類のインクの間で、Δγ＝（Ｌ値が低い方のインクの表面張力γ）−（Ｌ値が高い方のインクの表面張力γ）としたときに０．１≦Δγ≦７．０  の範囲を満たす、ことを特徴とする。
【発明の効果】
【０００９】
以上の構成によれば、インク物性を規定して高速かつ高画質の記録を可能にするとともに、上述した装置設計上の自由度を損なうことのないインクジェット記録装置を得ることができる。
【図面の簡単な説明】
【００１０】
【図１】本発明の一実施形態に係るインクジェット記録装置を模式的に示す図である。
【図２】図１に示した６つの記録ヘッドのうち、２つの記録ヘッドそれぞれのノズル配列を示す図である。
【図３】図２に示した８つのノズル列を備えた記録ヘッドを用いる本実施形態の記録装置によって、記録ヘッドの１回の走査、すなわち、記録ヘッドに対する１回の記録媒体搬送で記録可能なインクドットとそれを記録するノズル（列）との関係を示す図である。
【図４】本実施形態の８列のノズル列で、それぞれ低デューティー（階調）および高デューティー（階調）の画像を記録するときの１つの画素におけるドットを記録する様子を示す図である。
【図５】他の形態に係わり、６列のノズル列でそれぞれ低デューティーおよび高デューティーの画像を記録するときの１つの画素におけるドットを記録する様子を示す図である。
【図６】４列のノズル列で、それぞれ低デューティーおよび高デューティーの画像を記録するときの１つの画素におけるドットを記録する様子を示す図である。
【発明を実施するための形態】
【００１１】
以下、図面を参照して本発明の実施形態を詳細に説明する。
【００１２】
図１は、本発明の一実施形態に係るインクジェット記録装置を模式的に示す図である。図１において、１００１は、６色のインクを吐出する６つの記録ヘッドを示す。６色のインクは、例えば、ブラック（Ｂｋ）、シアン（Ｃｙ）、マゼンタ（Ｍｇ）、イエロー（Ｙｅ）、色材濃度の低い淡シアン（ＬＣｙ）、淡マゼンタ（ＬＭｇ）のインクとすることができる。これら複数の種類のインクのうちの任意の２つの種類のインクは、後述するΔγの関係を満たしている。
【００１３】
それぞれの記録ヘッドは、搬送される記録媒体１００２の幅全体に渡ってインクを吐出するノズルを配列した、いわゆるフルラインタイプの記録ヘッドである。それぞれの記録ヘッドには、図２にて後述されるように、８つのノズル列が配列している。各ノズルに対応して、発熱素子が設けられ、この発熱素子が記録信号に応じて熱エネルギーをインクに作用することによりインクを吐出する。この発熱素子は、金属及び／又は金属酸化物、窒化物、炭化物を含有した発熱部接液面を有するものである。発熱部接液面を構成する金属及び／又は、金属酸化物、窒化物、炭化物の具体例としては、例えば、Ｔａ、Ｚｒ、Ｔｉ、Ｎｉ、Ｓｉ若しくはＡｌなどの金属、又はこれらの金属の酸化物などを挙げることができる。
【００１４】
これらの記録ヘッドには、それぞれの色のインクを収納したインクタンクからチューブ（不図示）を介してインクが供給される。それぞれのインクタンクは本装置に着脱自在に装着される。
【００１５】
１００３および１００４は、記録紙などの記録媒体を搬送するローラを示し、１００５はプラテン、１００６は、ローラ１００３の支持部材をそれぞれ示す。
【００１６】
以上の構成において、記録媒体１００２を図中矢印で示す搬送方向に搬送するとともに、この搬送の間に６色インクそれぞれの記録ヘッド１００１の各ノズル列から記録信号に応じてインクを吐出して記録媒体上に順次画像を記録して行く。これら６つの記録ヘッドの搬送方向における配列順序は、所定の順序で配列するが、以下に説明されるように、本発明を適用することによりどのような配列順序であってもよい。
【００１７】
図２は、図１に示した６つの記録ヘッドのうち、２つの記録ヘッドそれぞれのノズル配列を示す図であり、一例として、ブラック（Ｂｋ）およびイエロー（Ｙｅ）のインクを吐出する２つの記録ヘッドにおけるノズル配列を示している。図２において、Ｂｋインク記録ヘッドのノズル配設面Ｈ１１００には、第１および第２ノズル列Ｈ２０００、第３および第４ノズル列Ｈ２１００、第５および第６ノズル列Ｈ２２００、第７および第８ノズル列Ｈ２３００が記録媒体の搬送方向に並ぶよう設けられている。また、Ｙｅインク記録ヘッドのノズル配設面Ｈ１１０１には、第１および第２ノズル列Ｈ２４００、第３および第４ノズル列Ｈ２５００、第５および第６ノズル列Ｈ２６００、第７および第８ノズル列Ｈ２７００が搬送方向に並ぶよう設けられている。このように、本実施形態では、どのインク色の記録ヘッドも８つのノズル列を備えている。
【００１８】
それぞれのノズル列のノズル配列の密度は１２００ｄｐｉであり、これにより、図３にて後述されるように、記録されるドットの密度はノズル配列方向に１２００ｄｐｉとなる。また、搬送される記録媒体に対してそれぞれのノズル列からの吐出タイミングが定められることにより、搬送方向における、記録されるドットの密度も１２００ｄｐｉに設定されている。
【００１９】
図３は、図２に示した８つのノズル列を備えた記録ヘッドを用いる記録装置によって、記録ヘッドの１回の相対的な走査、すなわち、記録ヘッドに対する１回の記録媒体搬送で記録可能なインクドットとそれを記録するノズル（列）との関係を示す図である。図３に示す数字は、８つのノズル列のうちどのノズル列かを示している。
【００２０】
本実施形態では、６００ｄｐｉ×６００ｄｐｉの密度の１つの画素に、１２００ｄｐｉ×１２００ｄｐｉの密度の４つの位置に０〜８個のインクドットを配置することにより、各画素で９階調の濃度を表現する。また、この０〜８個のドットの配置方法は、配置（インク吐出によってドットが記録）される順序に従い４つの位置に順次分散するように配置する。すなわち、できるだけ重なるドットが少なくなるようにドットを配置する。
【００２１】
具体的には、同図に示すように、記録媒体の搬送において、図中Ａ点を記録媒体が通過する時点で、第１および第２ノズル列によってそれぞれのドット（１、２）を重ならないように記録することができる。次に、記録媒体が点Ｂを通過する時点では、上記のドットに加えて、第３および第４ノズル列によって、それぞれのドット（３、４）を重ならないように記録することができる。点Ｃを通過する時点では、第５および第６ノズル列によって記録するが、この時点で、画素の４つの位置には既にドットが記録されている。この場合には、最初の４つのドットを記録した順序（１、２）で、それぞれの順序のときと同じ位置にドット（５、６）を記録する。点Ｄを通過する時点では、同様に、第７および第８ノズル列によって、それぞれのドット（７、８）をそれぞれ重ならないように記録することができる。
【００２２】
以上の構成を有する本実施形態のインクジェット記録装置は、以下の条件を満たすことによって、各色インクの吐出順序の制限を受けることなく、インク物性を規定することによる高速かつ高画質の記録を可能にする。
【００２３】
＜インクの物性およびノズル列の数の条件＞
本発明者らの検討の結果、以下の条件を得た。上述した記録方法で本実施形態のインクが用いられるとき、インクが水性媒体、界面活性剤、色材を含有する水性インクであって、２種類のインクの間で、Δγ＝（Ｌ値が低い方のインクの表面張力γ）−（Ｌ値が高い方のインクの表面張力γ）とする。このとき、
（１）Δγが、
０．１≦Δγ≦７．０
ここで、Ｌ値は、ＣＩＥ（国際照明委員会）により規定されたＬ*ａ*ｂ*表示系におけるＬ*の値であり、例えば、インクで記録した画像を、分光光度計（商品名：Ｓｐｅｃｔｒｏｌｉｎｏ；Ｇｒｅｔａｇ  Ｍａｃｂｅｔｈ製）を用いて、光源：Ｄ５０、視野：２°の条件で測定した数値を用いることができる。
の範囲を満たし、
（２）各色インクについて６列以上のノズル列（本実施形態は８列）を用い、
（３）１回の走査で画像を記録する場合に、
各色インクのノズル列の配列順序に係わらず、ブリーディングを低減することができる。これは、記録媒体の吸収層において各色インクの浸透が確保されるためだと考えられる。この浸透を確保するとは、着弾したインクが記録媒体において浸透する速度や量に限界が存在するが、記録媒体の厚み方向や面方向において浸透できる領域を確保することである。
【００２４】
（多列ノズルによる浸透の確保）
本実施形態では、各インク色について８列（６列以上）のノズル列を用いることにより、同じ０〜８個のドットを記録するのに、１ノズル列当りの吐出量、従って、着弾インク量を少なくすることができる。これにより、インクが浸透するための記録媒体の厚み方向や面方向の領域を分散して確保することができる。図４は、本実施形態の８列のノズル列で、それぞれ低デューティー（階調）および高デューティー（階調）の画像を記録するときの１つの画素におけるドットを記録する様子を示す図である。同図に示すように、例えば、低デューティーの記録において６個のドットを記録する場合、第１〜第６のノズル列でそれぞれのドットを記録することにより、６個のドットが総て異なるタイミングで記録される。これにより、１回の着弾インク量を少なくすることができ、インクが浸透するための記録媒体の厚み方向や面方向の領域を分散することができる。また、高デューティーの記録において８個のドットを記録する場合、第１〜第８のノズル列でそれぞれのドットを記録することにより、同様に、１回の着弾インク量を少なくでき、インクが浸透するための記録媒体の厚み方向や面方向の領域を分散することができる。この結果、各ノズル列から吐出されるインクは速やかに浸透することが可能となる。
【００２５】
図５は、他の形態に係わり、６列のノズル列でそれぞれ低デューティーおよび高デューティーの画像を記録するときの１つの画素におけるドットを記録する様子を示す図である。低デューティーの画像を記録するときは、図４に示す場合と同様である。また、高デューティーの画像を記録するとき、同図に示すように、第１ノズル列と第６ノズル列についてはそれぞれの列の２つのノズルから同じタイミングでインクを吐出してドットを記録する。しかし、同じタイミングで吐出されるインクがこの程度の数であれば、インクが浸透する厚み方向および面方向の領域を確保することができる。
【００２６】
これに対し、図６は、４列のノズル列で、それぞれ低デューティーおよび高デューティーの画像を記録するときの１つの画素におけるドットを記録する様子を示す図である。４ノズル列で記録する場合は、上述した６ノズル列以上の場合と比べ、特に高デューティー画像を記録する場合に、それぞれのノズル列の2つのノズルが同じタイミングでインクを吐出することになる。このため、同じタイミングで浸透するインクの量が増加してインクが浸透する領域が分散されなくなる。その結果、後続のインクの浸透を阻害、低下させる弊害が発生する。
【００２７】
なお、多数のノズル列を備えることの上述の効果を得るには、各色記録ヘッドにおいて６ノズル列以上を使用することに加え、各列におけるノズルを偏りなく、均等に使用することが好ましい。例えば、６列以上のノズル列を有した記録ヘッドにおいて、実際の画像を４列ノズルの使用のみで形成すると本効果が得られない。
【００２８】
（１回走査による浸透の確保）
上述のインク浸透の阻害、低下の弊害は、複数回の走査で記録する場合にも生じる。すなわち、前の走査で着弾したインクは、後の走査でインクが着弾する前に、厚み方向および面方向に浸透を広げてしまい、結果として後の走査で着弾するインクの吸収を阻害、低下させる。これに対し、本実施形態にように、１回の走査で記録を完成する場合は、前の走査で着弾したインクが後の走査で着弾したインクの吸収を阻害する前に、後の走査で着弾したインクの吸収を確保する。
【００２９】
なお、１回走査の効果を発揮し、また記録速度を高速に保つうえでも、走査速度は１ｉｎｃｈ／ｓｅｃ以上から３０ｉｎｃｈ／ｓｅｃ以下の範囲であることが好ましく、１ｉｎｃｈ／ｓｅｃ以上２０ｉｎｃｈ／ｓｅｃ以下であることが特に好ましい。
【００３０】
（Δγの効果）
インク間でΔγを規定することは、用いる複数のインク間で浸透速度に差をつけていることになり、γ値が高いインクの方が記録媒体への高い浸透力ないし早い浸透力を有する。例えば、明度が高くγ値が低いイエローインクと、明度が低くγ値が高いブラックインクの場合、先ず、ブラックインクが先に吐出される場合、ブラックインクは速やかに浸透、定着する。そして、後続のイエローインクは、上述した多列ノズルおよび１回走査の効果によって浸透することができる。これにより、ブラックインクがイエローインクに侵食することなく、両インク共に浸透、定着できる。一方、イエローインクが先に吐出される場合、後続のブラックは多列ノズルおよび１回走査の効果によって浸透が確保されており、かつ浸透速度がイエローより早いために、記録媒体表面付近でイエローに侵食することなく記録媒体内に浸透、定着する。その結果、この場合もブラックインクがイエローインクに侵食することなく、両インク共に浸透、定着することができる。このように、異なる色のインクの吐出順序にかかわらず、良好にブリーディングを低減することができる。
【００３１】
ここで、仮に、ブラックインクの浸透速度がイエローインクと同等、あるいはより遅いという場合を考えると、特にイエローインクが先に吐出されたときに不具合を生じる。イエローインクが先に吐出される場合、後続のブラックインクは、多列ノズルおよび１回走査の効果によって浸透が確保される。しかし、浸透速度がイエローインクと同等あるいは遅いため、記録媒体内への浸透が十分に進まず、結果として記録媒体表面でイエローインクへの侵食を起こし、ブリーディングを生じる。
【００３２】
なお、Δγにおいて各色インクのＬ値が関係する。ここで、前述したように、Ｌ値とはＣＩＥ（国際照明委員会）により規定されたＬ*ａ*ｂ*表示系におけるＬ*であり、記録媒体に各インク色を同様の記録濃度、好ましくは１００％デューティー以上で記録した時のＬ*値を用いる。いくつかのインク色について、一般的な色材を用いたときのＬ値の関係を下記に挙げるが、もちろん色材によりこの関係は入れ替わるものであり、本発明がこの関係に限定されないことはもちろんである。
【００３３】
Ｌ値低い：ブラック、（ブルー）＜（グレー）＜シアン、マゼンタ、（グリーン）＜（レッド）＜淡シアン、淡マゼンタ＜イエロー：Ｌ値高い
上記Ｌ値の関係においては、ブラックは全てのインク色に対して（Ｌ値が低いほうのインク）に該当し、イエローは全てのインクに対して（Ｌ値が高いほうのインク）に該当する。
【００３４】
（他の実施形態）
本発明に係るインクジェット記録ヘッドは、上述したように各色インクについてノズル列が６列以上であれば特に制限はない。この場合に、本発明では各インク色のノズル列が、それらのノズル列間に他のインク色のノズル列を挟むことのない配置が好ましい。記録ヘッドの構成上、異なるインク色のノズル列の配置を交互にすることは、インク供給路の設計上好ましくないからである。また、異なる色のインクが混ざり合うことにより、異なるインク色間でΔγの値が小さくなり、上述したΔγの効果が損なわれる可能性があるためである。
【００３５】
高速記録および記録品位の両立の上では、ノズル列方向のノズル間隔は好ましくは３００ｄｐｉ（ノズルピッチ：約８５μｍ）〜２４００ｄｐｉ（ノズルピッチ：約１１μｍ）であり、特に好ましくは６００ｄｐｉ（ノズルピッチ：約４２μｍ）〜１２００ｄｐｉ（ノズルピッチ：約２１μｍ）である。そして形成される画像解像度としてはノズル列方向へ６００ｄｐｉ〜９６００ｄｐｉ、ノズル列に対して垂直方向へ６００ｄｐｉ〜９６００ｄｐｉであることがそれぞれ好ましい。また、ノズル径および吐出量は特に制限はないが、吐出インク１滴あたり０．５ｐｌ以上５ｐｌ以下の吐出が可能であるノズル径であることが好ましく、１ｐｌ以上３ｐｌ以下の吐出が可能であることが特に好ましい。
【００３６】
また、本発明に用いられる記録ヘッドのノズル列の方向は紙搬送方向に対して並行あるいは垂直のいずれにも適用が可能である。なお、紙搬送方向に対して垂直にノズル列を配列し、記録媒体の幅と同様の長さを有したラインヘッドにおける適用が、各色に対して複数のノズル列を設ける設計上、特に好ましい。
【００３７】
本発明は、記録濃度が高い部分において特に有効であるが、記録媒体の吸収容量を超えた過剰なインク打ち込み量はそもそも記録媒体のインク吸収量の限界を超えてしまい、本発明の効果を発揮できない。また、記録濃度が低い部においては４列ノズル使用時と６列ノズル以上使用時とで、インク浸透環境に差がなくなるため、本発明の効果を有効に発揮できない。よって、本発明は画像の最大記録デューティーが全色合計で１００％〜１６０％デューティーの範囲において適用することが好ましい。
【００３８】
（界面活性剤）
本発明のインクは、浸透剤として界面活性剤を含有することが好ましい。本発明で言う所の界面活性剤とは、界面活性能を示す化合物のことであり、化合物が界面に配向することで表面張力を下げるものであれば、本発明で等しく実施することができる。この界面活性能の有無を確認する手段としては、例えば、市販されている動的表面張力測定装置を用いることが挙げられる。具体的には、５重量％程度の化合物の水溶液を測定し、１０ミリ秒の表面張力と５００ミリ秒の表面張力の差が顕著であるとき、これを以って「或る一定の時間をかけて界面に配向して表面エネルギーを下げる能力のある化合物」と判断することができる。本発明に実施可能な界面活性剤は、例えば、以下のものを用いることができる。下記に挙げる界面活性剤は、１種又は２種以上を組み合わせて用いることができる。
【００３９】
〔ノニオン性界面活性剤〕
ポリオキシエチレンアルキルエーテル、ポリオキシエチレン脂肪酸エステル、ポリオキシエチレンアルキルフェニルエーテル、ポリオキシエチレン・ポリオキシプロピレンブロック共重合体等。脂肪酸ジエタノールアミド、アセチレングリコールエチレンオキサイド付加物、アセチレングリコール系界面活性剤等。
【００４０】
〔アニオン性界面活性剤〕
ポリオキシエチレンアルキルエーテル硫酸エステル塩、ポリオキシエチレンアルキルエーテルスルフォン酸塩、ポリオキシエチレンアルキルフェニルエーテル硫酸エステル塩、ポリオキシエチレンアルキルフェニルエーテルスルフォン酸塩等。アルファスルホ脂肪酸エステル塩、アルキルベンゼンスルフォン酸塩、アルキルフェノールスルフォン酸塩、アルキルナフタリンスルフォン酸塩、アルキルテトラリンスルフォン酸塩、ジアルキルスルホコハク酸塩等。
【００４１】
〔カチオン性界面活性剤〕
アルキルトリメチルアンモニウム塩、ジアルキルジメチルアンモニウムクロリド等。
【００４２】
〔両性界面活性剤〕
アルキルカルボキシベタイン等。
【００４３】
（水性媒体）
本発明のインクには、上述したγの範囲に調整可能な範囲で、水、又は水及び水溶性有機化合物の混合溶媒である水性媒体を用いることができる。水は、脱イオン水（イオン交換水）を用いることが好ましい。インク中の水の含有量（質量％）は、インク全質量を基準として、１０．０質量％以上９０．０質量％以下であることが好ましい。
【００４４】
本発明で実施できる水溶性有機化合物は、界面活性剤以外の化合物で、水溶性であり、アルコール、多価アルコール、ポリグリコール、グリコールエーテル、含窒素極性溶媒、含硫黄極性溶媒などを用いることができる。インク中の水溶性有機化合物の含有量（質量％）は、インク全質量を基準として、５．０質量％以上９０．０質量％以下、さらには１０．０質量％以上５０．０質量％以下であることが好ましい。水溶性有機化合物の含有量が上記した範囲より少ないと、インクをインクジェット記録装置に用いる場合に吐出安定性などの信頼性が得られない場合がある。また、水溶性有機化合物の含有量が上記した範囲より多いと、インクの粘度が上昇してインクの供給不良が起きる場合がある。
【００４５】
水溶性有機化合物は、具体的には、例えば、以下のものを用いることができるが、本発明はこれらに限定されるものではない。メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコールなどの炭素数１乃至４のアルキルアルコール類。ジメチルホルムアミド、ジメチルアセトアミドなどのアミド類。アセトン、ジアセトンアルコールなどのケトン又はケトアルコール類。テトラヒドロフラン、ジオキサンなどのエーテル類。ポリエチレングリコール、ポリプロピレングリコールなどのポリアルキレングリコール類。プロピレングリコール、ブチレングリコール、ジエチレングリコール、トリエチレングリコール、ヘキシレングリコールなどのグリコール類。１，２，６−ヘキサントリオ−ルなどのアルキレン基が２乃至６個の炭素原子を持つアルキレングリコール類。ポリエチレングリコールモノメチルエーテルアセテートなどのアルキルエーテルアセテート類。エチレングリコールモノメチル（又はエチル）エーテル、ジエチレングリコールメチル（又はエチル）エーテル、トリエチレングリコールモノメチル（又はエチル）エーテルなどの多価アルコールのアルキルエーテル類。Ｎ−メチル−２−ピロリドン、２−ピロリドン、１，３−ジメチル−２−イミダゾリジノンなど。勿論、本発明はこれらに限られるものではない。これらの水溶性有機化合物は、必要に応じて１種又は２種以上を用いることができる。
【００４６】
また、本発明のインクは、上記した成分以外にも必要に応じて、トリメチロールプロパン、トリメチロールエタンなどの多価アルコール類や、尿素、エチレン尿素などの尿素誘導体などの、常温で固体の水溶性有機化合物を含有してもよい。さらに、本発明のインクは必要に応じて、ｐＨ調整剤、防錆剤、防腐剤、防黴剤、酸化防止剤、還元防止剤、蒸発促進剤、キレート化剤、及び水溶性ポリマーなど、種々の添加剤を含有してもよい。
【００４７】
（色材）
本発明のインクを構成する色材は、水溶性又は水分散性の色材であれば特に制限はない。以下に、具体的な例を挙げるが、本件はこれらに限定されるものではない。
【００４８】
Ｃ．Ｉ．ダイレクトイエロー：８、１１、１２、２７、２８、３３、３９、４４、５０、５８、８５、８６、８７、８８、８９、９８、１００、１１０、１３２、１７３等
Ｃ．Ｉ．アシッドイエロー：１、３、７、１１、１７、２３、２５、２９、３６、３８、４０、４２、４４、７６、９８、９９等
Ｃ．Ｉ．フードイエロー：３等
Ｃ．Ｉ．ピグメントイエロー：１、２、３、１２、１３、１４、１５、１６、１７、７３、７４、７５、８３、９３、９５、９７、９８、１１４、１２８、１３８、１８０等
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０等
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９等
Ｃ．Ｉ．フードレッド：８７、９２、９４等
Ｃ．Ｉ．ダイレクトバイオレット：１０７等
Ｃ．Ｉ．ピグメントレッド：２、５、７、１２、４８：２、４８：４、５７：１、１１２、１２２、１２３、１６８、１８４、２０２等
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７等
Ｃ．Ｉ．アシッドブルー：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４等
Ｃ．Ｉ．ピグメントブルー：１、２、３、１５、１５：２、１５：３、１５：４、１６、２２、６０等
Ｃ．Ｉ．アシッドオレンジ：７、８、１０、１２、２４、３３、５６、６７、７４、８８、９４、１１６、１４２等
Ｃ．Ｉ．アシッドレッド：１１１、１１４、２６６、３７４等
Ｃ．Ｉ．ダイレクトオレンジ：２６、２９、３４、３９、５７、１０２、１１８等
Ｃ．Ｉ．フードオレンジ：３等
Ｃ．Ｉ．リアクティブオレンジ：１、４、５、７、１２、１３、１４、１５、１６、２０、２９、３０、８４、１０７等
Ｃ．Ｉ．ディスパースオレンジ：１、３、１１、１３、２０、２５、２９、３０、３１、３２、４７、５５、５６等
Ｃ．Ｉ．ピグメントオレンジ：４３等
Ｃ．Ｉ．ピグメントレッド：１２２、１７０、１７７、１９４、２０９、２２４等
Ｃ．Ｉ．アシッドグリーン：１、３、５、６、９、１２、１５、１６、１９、２１、２５、２８、８１、８４等
Ｃ．Ｉ．ダイレクトグリーン：２６、５９、６７等
Ｃ．Ｉ．フードグリーン：３等
Ｃ．Ｉ．リアクティブグリーン：５、６、１２、１９、２１等
Ｃ．Ｉ．ディスパースグリーン：６、９等
Ｃ．Ｉ．ピグメントグリーン：７、３６等
Ｃ．Ｉ．アシッドブルー：６２、８０、８３、９０、１０４、１１２、１１３、１４２、２０３、２０４、２２１、２４４等
Ｃ．Ｉ．リアクティブブルー：４９等
Ｃ．Ｉ．アシッドバイオレット：１７、１９、４８、４９、５４、１２９等
Ｃ．Ｉ．ダイレクトバイオレット：９、３５、４７、５１、６６、９３、９５、９９等
Ｃ．Ｉ．リアクティブバイオレット：１、２、４、５、６、８、９、２２、３４、３６等
Ｃ．Ｉ．ディスパースバイオレット：１、４、８、２３、２６、２８、３１、３３、３５、３８、４８、５６等
Ｃ．Ｉ．ピグメントブルー：１５：６等
Ｃ．Ｉ．ピグメントバイオレット：１９、２３、３７等
Ｃ．Ｉ．ダイレクトブラック：１７、１９、２２、３１、３２、５１、６２、７１、７４、１１２、１１３、１５４、１６８、１９５等
Ｃ．Ｉ．アシッドブラック：２、４８、５１、５２、１１０、１１５、１５６等
Ｃ．Ｉ．フードブラック：１、２等
カーボンブラック
本発明では、これらの色材を必要に応じて１種、または２種以上使用することができる。
【００４９】
（色材の含有量）
インク中の色材及び一般式（Ｉ）の化合物の含有量（質量％）は、インク全質量を基準として、１質量％以上１０．０質量％以下であることが好ましい。
【００５０】
＜インクセット＞
フルカラーの画像などを形成するために、本発明のインクを、複数の色相の異なる組み合わせで用いることができる。本発明のインクは、例えば、ブラックインク、シアンインク、マゼンタインク、イエローインク、レッドインク、グリーンインク、ブルーインク、およびグレーインクなどから選択される少なくともいずれか１種のインクと共に用いることが好ましい。また、これらのインクと実質的に同じ色調を有する所謂淡インク、例えば淡シアンインクや淡マゼンタインクをさらに組み合わせて用いることもできる。これらのインク又は淡インクの色材は、公知の色材であっても、新規に合成された色材であっても用いることができる。
【００５１】
（実施例）
以下、実施例及び比較例を用いて本発明をさらに詳細に説明する。本発明は、しかしながら、下記の実施例によって何ら限定されるものではない。なお、特に指定のない限り、実施例、比較例のインク成分は「質量部」を意味する。また、文中の記載で「部」及び「％」とあるものは特に断りのない限り質量基準である。
【００５２】
＜色材の調製＞
色材Ｂｋとしては、特開２００５−１３９４２７号広報などを参考に、下記化合物のリチウム塩型を合成し、用いた。
【００５３】
【化１】
2011240659.tif 000003
【００５４】
色材Ｃｙには特開２００９−０５７５４０号公報を参考に、記載の例示化合物ＩＩ−６６を用いた。
【００５５】
色材Ｙｅには特開２００８−２９７５４１号公報などを参考に、下記化合物を合成し、用いた。
【００５６】
【化２】
2011240659.tif 000004
【００５７】
＜実施例１〜７、比較例１〜４＞
上記で得られた各色材を用い、下記表１のようにしてインクＢｋ−１〜Ｂｋ−３、Ｃｙ−１〜Ｃｙ−３、そしてＹｅをそれぞれ調製した。まず、下記表１の上段に示した各成分に加え、合計で１００部になるよう不足分の純水を加え、それぞれ混合して十分撹拌した。その後、ポアサイズ０．２μｍのフィルターにて加圧ろ過を行い、各インクを調製した。なお、表１の下段には、各インクの表面張力値γを併せて示した。
【００５８】
【表１】
2011240659.tif 000005
【００５９】
＜評価＞
上記で得られた各インクをそれぞれ、熱エネルギーを利用してインクを吐出する記録ヘッドを用いた。記録条件を、温度２３℃、相対湿度５５％、記録密度１２００ｄｐｉ×１２００ｄｐｉ、吐出量２．５ｐｌ、記録速度２０ｉｎｃｈ／ｓｅｃとして、１回走査および２回走査で評価パターンを形成した。記録媒体は光沢紙ＧＬ−１０１（キヤノン製）を用いた。評価パターンはＢｋ−１〜Ｂｋ−３、Ｃｙ−１〜Ｃｙ−３のいずれかのインクおよびＹｅをそれぞれ６０％デューティー、合計１２０％デューティーとして重ね記録し、かつ１０００μｍの間隔を設けた記録部と、この重ね記録の間隔部に、重ね記録部に隣接する形でＹｅを１２０％デューティーで１０００μｍ幅にて記録するパターンを使用した。記録画像を温度２３℃、相対湿度５５％で２４時間自然乾燥し、パーソナル画像品質評価システムＰｅｒｓｏｎａｌ  ＩＡＳ（Ｑｕａｌｉｔｙ  Ｅｎｇｉｎｅｅｒｉｎｇ  Ａｓｓｏｃｉａｔｅｓ社）を用い、１回走査記録時および２回走査記録時のＹｅ記録部の線幅およびラジェットネスをそれぞれ測定し、
Δ線幅＝（１回走査記録時の線幅）−（２回走査記録時の線幅）
Δラジェットネス＝（１回走査記録時のラジェットネス）−（２回走査記録時のラジェットネス）
として評価を行った。
【００６０】
ここで、「ラジェットネス」は、ＩＳＯ１３６６０で定義されたラインのラジェットネスであり、ラジェットなラインとは、本来スムーズで真っ直ぐなはずの理想のラインエッジに対して波打っている状態を示すものである。
【００６１】
（評価基準）
【００６２】
【表２】
2011240659.tif 000006
【００６３】
（評価結果）
実施例１〜７は、６列〜８列ノズルを使用し、かつ０．１≦Δγ≦７．０の条件で、２回走査記録時と比べ１回走査記録の線幅とラジェットネスが先に吐出、後に吐出に関わらず評価Ａ〜Ｃであり、良好な結果を示している。
【００６４】
一方、比較例１〜２は、４ノズル列使用時の結果であり、吐出順序によって２回走査記録時と比較して１回走査記録時においてＤもしくはＥ評価が存在し、好ましくない。
【００６５】
比較例３〜４は、Δγ＜０の条件であり、吐出順序によっては２回走査記録時と比較して１回走査記録時、打滴順によりＤ評価が存在し、好ましくない。
【００６６】
以上の結果より、本発明は高速記録および良好な画像品位の両立を達成することができる。表２に示すように、特に、Δγが０．１以上で、７．０以下のとき、「評価」がＣ以上を得ることができる。また、Δγが１．４以上で、７．０以下のとき、「評価」が略Ｂ以上を得ることができる。
【００６７】
【表３】
2011240659.tif 000007
【符号の説明】
【００６８】
１００１    記録ヘッド
１００２    記録媒体
Ｈ２０００、Ｈ２１００、Ｈ２２００、Ｈ２３００、Ｈ２４００、Ｈ２５００、Ｈ２６００、Ｈ２７００    ノズル列
【図１】
2011240659.tif 000008
【図２】
2011240659.tif 000009
【図３】
2011240659.tif 000010
【図４】
2011240659.tif 000011
【図５】
2011240659.tif 000012
【図６】
2011240659.tif 000013